(57)【要約】【課題】ユーザーに面倒で煩雑な作業を要求することなく、ＮＶＯＤのサービスを有効活用することにより、視聴予約設定を行った番組に追従するＮＶＯＤ番組に対しても視聴予約設定が可能なデジタル放送受信機を提供する。【解決手段】視聴を希望する番組の番組情報に記載されたＳＤＴに関して、このＳＤＴ内にＮＶＯＤに関する記述子であるＮＶＯＤ基準サービス記述子およびタイムシフトサービス記述子の記載が有るか否かの検証を行い、記載がある場合は、記載された記述子の内容に基づき、タイムシフトされるＮＶＯＤ番組に関しても、視聴予約設定を行う。【選択図】図２
2008294869.tif 000002
【特許請求の範囲】
【請求項１】
複数の送信源の中から受信するデジタル放送を選局するための選局部と、
前記選局部で選局したデジタル放送の放送信号を受信するためのチューナと、
前記チューナで受信した放送信号を復調するための復調部と、
前記復調部で復調した放送信号に含まれている映像信号と音声信号とデータ信号とを抽出するための放送信号処理部と、
を備えたデジタル放送受信機において、
視聴を希望する番組の視聴予約を行うための視聴予約設定部と、
前記視聴予約設定部にて設定された視聴予約情報を保持するための予約情報保持部と、
前記視聴予約設定部にて視聴予約される番組の番組情報を検証するための番組情報検証部と、
前記放送信号処理部で抽出したデータ信号に含まれている番組情報を抽出するためのデータ信号処理部と、
前記データ信号処理部にて抽出された番組情報を保持するための番組情報保持部とを設け、
前記番組情報検証部は、前記視聴予約設定部による視聴予約設定の際に、前記番組情報保持部に保持された番組情報の中から、視聴予約対象番組の番組情報を抽出し、抽出した前記番組情報の検証を行い、
検証の結果、視聴予約対象の番組がＮＶＯＤ（Near Video On Demand）番組の場合は、前記視聴予約設定部にて、前記視聴予約対象の番組および当該番組に追従するＮＶＯＤ番組の視聴予約設定を同時に行い、視聴予約対象の番組がＮＶＯＤ番組でない場合は、前記視聴予約設定部にて、前記視聴予約対象の番組のみの視聴予約設定を行うことを特徴とするデジタル放送受信機。
【請求項２】
請求項１に記載のデジタル放送受信機において、
前記番組情報検証部は、抽出された番組情報に記載されたサービス記述テーブルを検証し、前記サービス記述テーブル内におけるＮＶＯＤ基準サービス記述子または前記ＮＶＯＤ基準サービス記述子に記載されたサービスをタイムシフトするタイムシフトサービス記述子の有無を検証することを特徴とするデジタル放送受信機。
【請求項３】
請求項１に記載のデジタル放送受信機において、
事前に視聴予約設定を行った番組の放送開始時間の到来時に、前記番組が放送されるチャンネルとは異なるチャンネルが選局されている場合は、前記番組が放送されるチャンネルへの選局変更を促す表示がなされることを特徴とするデジタル放送受信機。
【発明の詳細な説明】
【技術分野】
【０００１】
本発明は、放送番組の視聴予約機能を有し、デジタル放送の放送信号に付加されるデータに含まれた情報を用いることにより、視聴予約設定を行うデジタル放送受信機に関するものである。
【背景技術】
【０００２】
近年のデジタル技術の発達により、放送の分野でもデジタル化が進み、地上波デジタルテレビジョン放送／ＢＳ（Broadcasting Satellite）デジタル放送／ＣＳ（Communications Satellite）デジタル放送などのデジタル放送が広く実用化されている。
【０００３】
このデジタルテレビジョン放送の普及により、従来から日本国内において行われてきたアナログテレビジョン放送は、２０１１年７月末までに終了される予定となっており、その後は、多チャンネル化／高画質化／高機能化（双方向サービスの提供など）などの実現が可能なデジタルテレビジョン放送へ完全に移行される予定である。
【０００４】
地上波デジタルテレビジョン放送に代表されるようなデジタルテレビジョン放送では、視聴者に対して有益なサービスを提供するための試みが既に開始されており、そのサービスの１つにＮＶＯＤ（Near Video On Demand）がある。
【０００５】
ＮＶＯＤとは、番組の開始時間を一定の時間間隔で順次遅らせ、別チャンネルで同じ番組を放送することにより、視聴者が何らかの事情で希望する番組を見逃した場合においても、番組開始時から再度視聴できるような放送システムを提供するサービスである。
【０００６】
しかしながら、このＮＶＯＤは、ＶＯＤ（Video On Demand）のように視聴者が見たい時間に見たい番組を選択して視聴できるようなサービスではないため、視聴を希望する番組があり、かつ放送開始時間に合わせて視聴を行う場合は、デジタル放送を受信し、映像を表示する機能を有したテレビ受像機などの受信機器の電源を入れ、視聴可能な状態とし、視聴対象の番組が放送されるチャンネルへの選局を行い、その状態のまま放送開始時間の到来を待つ方法や、事前に視聴予約設定を行うことにより、放送開始時間に合わせて視聴可能な状態にする方法などの手段を講じる必要がある。
【０００７】
また、先に述べたように、ＮＶＯＤとは、番組の開始時間を一定の時間間隔で順次遅らせ、別チャンネルで同じ番組を放送する放送形態であるため、ユーザーが視聴を終了した後、再度同様の放送の視聴を希望する場合は、視聴を希望する度に上述の手段を講じる必要がある。
【０００８】
さらに、何らかの事情により放送時間が変更された場合は、事前に設定した視聴予約を再度設定し直す必要があり、上述したこれらの作業はユーザーにとって面倒で煩雑な作業となる。
【０００９】
後掲の特許文献１では、適時更新される番組情報を更新毎にワークメモリに格納し、視聴を希望する番組を視聴予約番組として同ワークメモリに登録し、登録された視聴予約番組の情報とワークメモリに格納されている番組情報とを比較確認することにより、予約番組の放送開始時刻または放送終了時刻の変更の有無を確認し、番組情報に変更があり、かつ既に登録済みの他の予約番組の日時と重複しない場合においては、当該予約番組の予約日時の変更を行う受信処理予約装置が記載されている。
【００１０】
また、後掲の特許文献２では、事前に入手した番組表などに記載されているevent_idのみを視聴予約設定時に入力し、受信機に送信することで、視聴を希望する番組の視聴予約設定を短時間で行うことが出来るデジタル放送受信機が記載されている。
【００１１】
さらに、後掲の特許文献３では、受信した放送信号から番組情報を抽出するとともに、抽出した番組情報を第１のメモリに蓄積し、この第１のメモリに蓄積された番組情報を基に、ユーザーが選局した番組がＮＶＯＤ番組か否かの判断を行い、ＮＶＯＤ番組の場合は、第１のメモリに蓄積した番組情報を基に、当該ＮＶＯＤに属する番組情報を全て抽出し、第２のメモリに蓄積し、この第２のメモリに蓄積された情報を基に、選局開始時間からの経過時間が最も小さいＮＶＯＤ番組を視聴することが可能なデジタル放送受信機が記載されている。
【００１２】
【特許文献１】特開２００３−１６９２６４号公報
【特許文献２】特開平１０−３２２６０７号公報
【特許文献３】特開平１１−１６４２７８号公報
【発明の開示】
【発明が解決しようとする課題】
【００１３】
上記の特許文献１〜３においては、適時更新される番組情報と設定された視聴予約情報とを比較し、相違がある場合は、更新された番組情報に基づき予約内容を変更する受信機や、event_idのみを入力し、受信機に送信することで、短時間で視聴予約を行えるデジタル放送受信機、また、放送信号から抽出した番組情報を基にＮＶＯＤ番組か否かを判断し、ＮＶＯＤ番組の場合は、放送開始時間からの経過時間が最も短いＮＶＯＤ番組を視聴することが可能なデジタル放送受信機が記載されている。
【００１４】
しかしながら、これらの受信機では、初回の視聴予約設定時において、視聴予約対象の番組に追従するＮＶＯＤ番組がある場合、視聴予約対象の番組および当該番組に追従するＮＶＯＤ番組の視聴予約設定を同時に行うことはできない。
このため、追従するＮＶＯＤ番組の各々に対する視聴予約設定が別途必要となり、ユーザーに面倒で煩雑な作業を要求することになる。
【００１５】
本発明は、上述した問題点に鑑み、初回の視聴予約設定時において、ユーザーに面倒で煩雑な作業を要求することなく、ＮＶＯＤのサービスを有効活用することにより、視聴予約対象の番組に追従するＮＶＯＤ番組に対しても同時に視聴予約設定を行うことができるデジタル放送受信機を提供することを課題とする。
【課題を解決するための手段】
【００１６】
本発明では、複数の送信源の中から受信するデジタル放送を選局するための選局部と、選局部で選局したデジタル放送の放送信号を受信するためのチューナと、チューナで受信した放送信号を復調するための復調部と、復調部で復調した放送信号に含まれている映像信号と音声信号とデータ信号とを抽出するための放送信号処理部とを備えたデジタル放送受信機において、視聴を希望する番組の視聴予約を行うための視聴予約設定部と、視聴予約設定部にて設定された視聴予約情報を保持するための予約情報保持部と、視聴予約設定部にて視聴予約される番組の番組情報を検証するための番組情報検証部と、放送信号処理部で抽出したデータ信号に含まれている番組情報を抽出するためのデータ信号処理部と、データ信号処理部にて抽出された番組情報を保持するための番組情報保持部とを設けている。
そして、番組情報検証部は、視聴予約設定部による視聴予約設定の際に、番組情報保持部に保持された番組情報の中から、視聴予約対象番組の番組情報を抽出し、抽出した前記番組情報の検証を行う。
検証の結果、視聴予約対象の番組がＮＶＯＤ（Near Video On Demand）番組の場合は、視聴予約設定部にて、視聴予約対象の番組および当該番組に追従するＮＶＯＤ番組の視聴予約設定を同時に行い、視聴予約対象の番組がＮＶＯＤ番組でない場合は、同視聴予約設定部にて、視聴予約対象の番組のみの視聴予約設定を行う。
【００１７】
このようにすることで、視聴予約対象の番組がＮＶＯＤ番組の場合は、視聴予約対象の番組に追従するＮＶＯＤ番組に関しても同時に視聴予約設定を行うことができ、仮に視聴予約対象の番組を何らかの事情で見逃した場合においても、追従するＮＶＯＤ番組の視聴予約設定は保持されているため、次の放送時間の到来を待って放送開始から視聴することができるため、ＮＶＯＤのサービスを有効活用し、ユーザーに面倒で煩雑な作業を要求することなく、視聴予約設定を行うことができる。
【００１８】
本発明のデジタル放送受信機において、番組情報検証部は、抽出された番組情報に記載されたサービス記述テーブルを検証し、サービス記述テーブル内におけるＮＶＯＤ基準サービス記述子またはＮＶＯＤ基準サービス記述子に記載されたサービスをタイムシフトするタイムシフトサービス記述子の有無を検証する。
【００１９】
このようにすることで、ユーザーは、視聴予約対象の番組がＮＶＯＤ番組であるか否かの判断を番組表を用いて検証する必要がないため、ＮＶＯＤのサービスを有効活用し、ユーザーに面倒で煩雑な作業を要求することなく、視聴予約設定を行うことができる。
【００２０】
本発明のデジタル放送受信機において、事前に視聴予約設定を行った番組の放送開始時間の到来時に、視聴予約した番組が放送されるチャンネルとは異なるチャンネルが選局されている場合は、視聴予約した番組が放送されるチャンネルへの選局変更を促す表示がなされる。
【００２１】
このようにすることで、他の放送に夢中になり、視聴予約した番組が開始されることを忘れている場合においても、事前に視聴予約設定を行った番組の見逃しを回避することができる。
【発明の効果】
【００２２】
本発明によれば、視聴予約対象番組の番組情報を検証し、検証の結果、視聴予約対象番組がＮＶＯＤ番組である場合は、この視聴予約対象番組に追従するＮＶＯＤ番組に対しても同時に視聴予約設定を行うことができる。
よって、ユーザーに面倒で煩雑な作業を要求することなく、ＮＶＯＤのサービスを有効活用することにより、視聴予約設定を行った番組に追従するＮＶＯＤ番組に対しても視聴予約設定を行うことができる。
【発明を実施するための最良の形態】
【００２３】
以下、本発明の実施形態につき、図面を参照しながら説明する。
【００２４】
図１は、本発明に係るデジタル放送受信機の一例を示したブロック図である。
図において、１００はデジタル放送を受信するデジタル放送受信機、１はデジタル放送受信機１００全体の制御を行うマイクロプロセッサ、２はデジタル放送受信機１００内の各部へ電源を供給する電源部、３は受信対象のデジタル放送を複数の送信源の中から選局する選局部、４はデジタル放送の電波を受信するアンテナ、５は選局部３で選局したデジタル放送の放送信号をアンテナ４を介して受信するチューナ、６はチューナ５で受信した放送信号を復調するための復調部、７は復調部６で復調された放送信号から映像信号と音声信号とデータ信号とを抽出するための放送信号処理部である。
【００２５】
映像信号処理部８では、放送信号処理部７で放送信号から抽出された映像信号に対して画像処理が施され、画像処理が施された映像信号は、デジタル放送受信機１００に接続されたＬＣＤ（Liquid Crystal Display）９に出力される。
同様にして、音声信号処理部１０では、放送信号処理部７で放送信号から抽出された音声信号に対して音声処理が施され、音声処理が施された音声信号は、デジタル放送受信機１００に接続されたスピーカ１１に出力される。
【００２６】
また、データ信号処理部１２では、放送信号処理部７で放送信号から抽出されたデータ信号から番組情報とそれ以外の情報とが抽出される。
データ信号処理部１２で抽出されたその他の情報は、情報処理部１３において、それぞれの情報に対応した情報処理が施され、同データ信号処理部１２で抽出された番組情報は、例えばメモリなどから構成される番組情報保持部１４において保持される。
【００２７】
１６はデジタル放送受信機１００のフロントパネルやリモコンに設けられた設定ボタン（図示省略）をユーザーが操作することに基づいて、番組の視聴予約を行う視聴予約設定部である。１５は視聴予約設定部１６による視聴予約設定の際に、番組情報保持部１４に保持された番組情報の中から、視聴予約対象番組の番組情報を抽出し、抽出した番組情報の検証を行う番組情報検証部である。
１７は視聴予約設定部１６にて設定された視聴予約情報を保持する予約情報保持部であって、例えばメモリなどにより構成される。
【００２８】
図２は上述したデジタル放送受信機１００による視聴予約設定手順を示すフローチャートである。
【００２９】
ステップＳ１では、ユーザーが新聞などに掲載された番組一覧などを参照する、または、番組情報保持部１４に保持された番組情報を基に作成された番組表（図示省略）をＬＣＤ９に表示し、視認することにより、視聴を希望する番組の選出を行う。
【００３０】
ステップＳ２ではユーザーにより視聴予約設定部１６が操作され、視聴予約設定を行うための設定画面がＬＣＤ９に表示されることにより、視聴予約設定が開始される。
なお、ＬＣＤ９に表示される設定画面は、例えば図３に示すようなものである。
【００３１】
図３において、２００はＬＣＤ９に表示される視聴予約設定画面、２０は番組情報保持部１４に保持された番組情報を一覧化した番組表、２１は視聴可能なチャンネル名、２２は番組放送時間、２３は放送される番組、２４は番組の視聴予約を行う視聴予約設定欄、２５はユーザーが視聴中の番組を表示する表示画面、２６は指定した予約を決定する予約決定ボタン、２７は設定内容を取り消す取り消しボタン、２８は視聴予約設定画面２００の表示を終了させる終了ボタンである。
【００３２】
ステップＳ３では、ユーザーが上述したフロントパネルやリモコンに設けられた設定ボタンを操作することにより、図３に示す番組表２０の各番組２３の中から視聴予約対象の番組が選出され（図３においては、１８時放送開始のＦ＊＊レシピ）、選出された番組の概要が視聴予約設定欄２４に表示される（図３においては、放送開始時間と放送番組名が表示されている）。
視聴予約対象番組として選出された番組に関する番組情報は、番組情報検証部１５によって番組情報保持部１４から抽出され、抽出された番組情報に記載されたサービス記述テーブル（Service Description Table；以下、ＳＤＴと略記）の検証が行われる。
なお、検証されるＳＤＴは、例えば図４に示すようなものである。
【００３３】
ここで、図４において、３０は編成チャンネル名や放送事業者名などが記載されたＳＤＴ、３１はＳＤＴ３０に記載された記述子の一例であり、ＮＶＯＤサービスを構成するサービスの一覧を示すＮＶＯＤ基準サービス記述子（Near Video On Demand Reference Descriptor）、３２は３１と同様、ＳＤＴ３０に記載された記述子の一例であり、ＮＶＯＤ基準サービス記述子３１に記載されたサービスをタイムシフトするタイムシフトサービス記述子（Time Shifted Service Descriptor）、３３はＮＶＯＤ基準サービス記述子３１およびタイムシフトサービス記述子３２の詳細を示す一例であり、番組名や放送日時、番組内容など、番組に関する情報が記載されたイベント情報テーブル（Event Information Table；以下、ＥＩＴと略記）、３４は個々のＥＩＴ３３に付されたＩＤ（Identification）である。
【００３４】
ステップＳ４では、ステップＳ３で検証したＳＤＴ３０内にＮＶＯＤに関する記述子であるＮＶＯＤ基準サービス記述子３１およびタイムシフトサービス記述子３２の記載が有るか否かを検証し、記載が有る場合は（ステップＳ４：ＹＥＳ）、ステップＳ５へ進み、記載がない場合は（ステップＳ４：ＮＯ）、ステップＳ７以下へ進む。
【００３５】
ステップＳ５では、予約対象の番組に加えて、タイムシフトされるＮＶＯＤの番組に対しても視聴予約を実行するか否かを判定する。ユーザーが上述のフロントパネルやリモコンに設けられた設定ボタンを操作することにより、図３に示す視聴予約設定欄２４において、ＮＶＯＤ設定の有無を選択した結果、ＮＶＯＤ設定が「有」である場合は（ステップＳ５：ＹＥＳ）、ステップＳ６へ進み、「無」である場合は（ステップＳ５：ＮＯ）、ステップＳ７以下へ進む。
【００３６】
ステップＳ６では、視聴予約対象の番組に加えてタイムシフトされるＮＶＯＤ番組の視聴予約を、図３に示す予約決定ボタン２６にて行う。
【００３７】
ステップＳ７では、予約決定ボタン２６にて、視聴予約対象の番組に対してのみ視聴予約を行う。
【００３８】
ステップＳ８では、終了ボタン２８により視聴予約設定画面２００の表示が終了し、視聴を希望する番組の視聴予約が完了する。
【００３９】
図５は、予め設定された視聴予約番組の視聴開始から視聴終了までを示したフローチャートである。
【００４０】
ステップＳ１１では、予め設定された視聴予約日時の到来前（例えば、３分前）において、デジタル放送受信機１００の主電源がＯＮか否かを判定し、主電源がＯＮであれば（ステップＳ１１：ＹＥＳ）、ステップＳ１２へ進み、ＯＦＦであれば（ステップＳ１１：ＮＯ）、次にタイムシフトされるＮＶＯＤ番組の放送日時の到来に備える。
【００４１】
ステップＳ１２では、視聴予約を実行するための視聴予約実行モードが自動的に起動する。
【００４２】
ステップＳ１３では、デジタル受信機１００の選局状態が、視聴予約内容とは異なる選局状態であるか否かを判定し、異なる選局であれば（ステップＳ１３：ＹＥＳ）、ステップＳ１４へ進み、異ならない選局状態であれば（ステップＳ１３：ＮＯ）、ステップＳ１６以下へ進む。
【００４３】
ステップＳ１４では、予め設定された視聴予約を実行するため、視聴予約した番組が放送されるチャンネルへのチャンネル変更を促す表示（例えば、「ご覧のチャンネルは予約されたチャンネルではありません。予約チャンネルは○○です。」）がなされる。
この場合、表示内容は、デジタル放送受信機１００に接続されたＬＣＤ９に表示される。
【００４４】
ステップＳ１５では、視聴予約した番組を視聴するか否かを判定する。ステップＳ１４での表示に基づき、ユーザーがチャンネル変更を行い、視聴予約した番組を視聴するか否かを選択し、視聴する場合は（ステップＳ１５：ＹＥＳ）、ステップＳ１６へ進み、チャンネル変更を行わず、視聴しない場合は（ステップＳ１５：ＮＯ）、ステップＳ１８以下へ進む。
【００４５】
ステップＳ１６では、視聴予約日時が到来することにより、予め設定された視聴予約に基づく視聴が開始され、ステップＳ１７で視聴が終了する。
【００４６】
ステップＳ１８では、ステップＳ１７での視聴終了後にタイムシフトされるＮＶＯＤ番組に関して、ユーザー自身が視聴予約を継続するか否かを選択し、視聴予約を継続する（再度の視聴を希望する）場合は（ステップＳ１８：ＹＥＳ）、次にタイムシフトされるＮＶＯＤ番組の放送日時の到来に備えるために、ステップＳ１１へ戻り、視聴予約を継続しない（再度の視聴を希望しない）場合は（ステップＳ１８：ＮＯ）、ステップＳ１９へ進む。
【００４７】
ステップＳ１９では、ユーザーが上述のフロントパネルやリモコンに設けられた設定ボタンを操作することにより、ＬＣＤ９に視聴予約設定一覧（図示省略）を表示させ、継続視聴を希望しない番組の視聴予約を取り消す。
【００４８】
このように、上述した本発明の実施形態においては、視聴を希望する番組の番組情報に記載されたＳＤＴに関して、このＳＤＴ内にＮＶＯＤに関する記述子であるＮＶＯＤ基準サービス記述子およびタイムシフトサービス記述子の記載が有るか否かを検証することにより、記載がある場合は、記載された記述子の内容に基づき、タイムシフトされるＮＶＯＤ番組に関しても、視聴を希望する番組の視聴予約設定時に同時に視聴予約設定を行うことができる。
このため、ユーザーに面倒で煩雑な作業を要求することなく、ＮＶＯＤのサービスを有効活用することにより、視聴予約対象の番組に追従するＮＶＯＤ番組に対しても同時に視聴予約設定を行うことができる。
【００４９】
上記実施形態においては、デジタル放送受信機１００を単体で取り上げたが、本発明のデジタル放送受信機は、テレビ受像機やＳＴＢ（Set Top Box）などの主映像機器または副映像機器に組み込むことも可能である。
【００５０】
また、上記実施形態においては、視聴予約された放送の放送開始日時到来前に異なるチャンネルが選局されている場合は、チャンネル変更を促す表示がなされたが、強制的にチャンネル変更を行う項目を視聴予約設定画面に設け（図示省略）、視聴予約設定時に指定することで、例えば、予約日時到来時において居眠りなどを行っている場合においても、視聴設定を行った番組の視聴を開始することができる。
【００５１】
さらに、本発明において、予約情報保持部に保持された予約内容を図示しないＤＶＤ（Digital Versatile Disk）レコーダなどと共有することにより、予め設定された視聴予約に連動して視聴する番組の録画を行うことも可能である。
【図面の簡単な説明】
【００５２】
【図１】本発明に係るデジタル放送受信機の一例を示したブロック図である。
【図２】本発明に係るデジタル放送受信機による視聴予約設定手順を示すフローチャートである。
【図３】視聴予約設定を行う際の設定画面の一例である。
【図４】番組情報に記載されたサービス記述テーブルおよびイベント情報テーブルの一例を示す図である。
【図５】設定された視聴予約に基づく、視聴開始から視聴終了までのフローチャートである。
【符号の説明】
【００５３】
７      放送信号処理部
１２    デジタル信号処理部
１４    番組情報保持部
１５    番組情報検証部
１６    視聴予約設定部
１７    予約情報保持部
２０    番組表
３０    サービス記述テーブル
３１    ＮＶＯＤ基準サービス記述子
３２    タイムシフトサービス記述子
３３    イベント情報テーブル
１００  デジタル放送受信機
２００  視聴予約設定画面
【図１】
2008294869.tif 000003
【図２】
2008294869.tif 000004
【図３】
2008294869.tif 000005
【図４】
2008294869.tif 000006
【図５】
2008294869.tif 000007